【手続補正書】
【提出日】平成17年6月28日(2005.6.28)
【手続補正１】
【補正対象書類名】明細書
【補正対象項目名】全文
【補正方法】変更
【補正の内容】
【書類名】    明細書
【発明の名称】歯科治療用閉塞材
【特許請求の範囲】
【請求項１】
金属微細繊維でなる、略円筒状に形成された金属微細繊維束の一端に合成樹脂板が取着されてなることを特徴とする歯科治療用閉塞材。
【請求項２】
請求項１の金属微細繊維が、直径２０〜３０ミクロンのチタン繊維であることを特徴とする歯科治療用閉塞材。
【発明の詳細な説明】
【０００１】
【発明の属する技術分野】
本発明は医療分野における歯科治療用閉塞材に属する。
【０００２】
歯科医療において歯牙欠損部の修復は、義歯（入れ歯）やブリッジ（橋義歯）に代わり、近年、顎骨内に人工歯根（インプラントフィクスチャー）を埋入して、その上部に天然の歯に相似させて製作した上部構造体を装着する代替医療が普及しつつある。その人工歯根には従来用いられてきた板状（ブレード型）に代わり、近年は歯根状の形体に似た円柱状のものが臨床成績がよいとされている。歯牙を失った患者にこの形式による人工歯を供する治療法が普及しつつある。この歯根状インプラントは人工歯根に上部構造体を装着するに際し、さらに接着剤を用いて両者を合着する方式と、両者をネジ固定にて連結する二方式がある。本発明は後者のネジ（スクリュー）固定式インプラントの用途に用いる。
【０００３】
ネジ固定方式においては人工歯根と上部構造体内部に円筒状空洞構造が設置されている。この構造体の円筒状空洞のインプラントフィクスチャー部分内側にはメスネジが設置され、このメスネジと絡むオスネジが製造会社より供給されている。オスネジをインプラントフィクスチャー内部に挿入し、６角ドライバーかマイナスドライバーを使用してこのオスネジを回転させてインプラントフィクスチャーと上部構造体を締結する。連結するオスネジの直径の最大幅は１．５ｍｍから１．７ｍｍである。
【０００４】
人工歯根（インプラントフィクスチャー）が顎骨内に固定されているのに対し、必要なときには上部構造体は取り外すことが出来れば（可撤性であれば）有用性が高い。可撤性能はこのオスネジを円筒状の空洞部分の上部より空洞部分に挿入してドライバーを用いてオスネジとメスネジとを締結し、取り外す必要があるときには解除させる方式による。
【０００５】
上部構造体と人工歯根を一体化させる時に、円筒状の空洞部分に塵挨が入ると、ネジの凹部に入りドライバーの先とネジの凹部がかみ合わなくなり締結させることができない。本発明はこの空洞部分に塵挨が入らないように管理するものである。
【０００６】
【従来の技術】
従来型の治療法としてはこの円筒状の空洞を閉鎖するために天然樹脂材を熱して軟化し、円筒状の空洞部分内部に手用充填器を用いて手作業により充填するか、あるいは天然樹脂材にかえて綿繊維を円筒状の空洞部分内部に充填できる大きさに成形して手で充填する方法が採用されていた。充填した天然樹脂材あるいは綿繊維を取り除く時には、器具を用いて機械的に破壊あるいは綿繊維はかたまりをほぐして取り除いていた。
【０００７】
あるいは天然樹脂材は小型電気モーターに切削器具を装着して機械的に破壌して砕片化するか、あるいは綿繊維が用いられているときには、これをほぐして小さくすることによって取り除いていた。円筒状の空洞部分の底部は直視不可能かつ照射光が直達しない箇所のため残された砕片の発見は困難である。歯科診療所においてはコンプレッサーが設備されていることから、コンプレッサーの圧縮空気を利用し風圧を吹きかけて取り除く方式も採用されているが、この方式によっても完全に取り除くことは極めて困難で底部に砕片が残ることが多かった。
【０００８】
円筒状の空洞部分は極めて狭隘な箇所なので従来法による治療法式である除去法では、この砕片を取り除くことは非常に困難であった。このため取り除く処置は１歯あたり約１５分を要していた。
【０００９】
【発明が解決しようとする課題】
課題は円筒状の空洞部分に充填する材料にあると考えられた。このネジ上部に取り残された従来型の砕片はドライバーの先端部とネジの凹部に介在することにより起こることが多い。この時にはドライバーをネジの凹部に入れてドライバーを回転したくても、ドライバー先端部と凹部間に砕片が介在しドライバーがネジ穴の凹部にかからずはずすことが出来ない。
【００１０】
使用時には充填が容易で破片を残さないで一塊として取り出せる形態が求められ、短時間で除去できる部材が求められさらに価格を低廉にするための製作法も合わせて課題としたい。
【００１１】
【課題を解決するための手段】
本発明は従来型の治療法が天然樹脂材あるいは綿繊維を用いて円筒状の空洞部分の閉鎖を図っているのに対して、金属製の微細な繊維を円筒状の空洞部分に適合するように束状に編み込んだ部材を用いて空洞の閉鎖を図るものである。束状に編み込んだ部材は一塊となっているため取り出すことが容易で、かつ破片が残ることはない。
【００１２】
本開発品を用いて円筒状の空洞部分を必要期間封鎖する。封鎖を解除したいときには、金属微細繊維束の材料には生体に為害性のないチタン材がすすめられる。また繊維の直径は焼く２０ミクロン〜３０ミクロンからなる高さ、直径の異なる円筒状空洞部内部に適合させるために、円筒状形態に編み込んで高さ、直径を種々変えたものにして供給する。
【００１３】
これらの金属微細繊維が外部に露出すると金属微細繊維の自由端が患者の舌や頬粘膜などの口腔軟組織部分にあたり不快感を惹起する。これを解決するために金属微細繊維上部の直径よりやや小さい合成樹脂製直径約２ｍｍ厚み約２ｍｍの円盤上の部材を取り付ける。円筒状空洞内に充填した発明品の上部の合成樹脂板と円筒状の空洞間の間隙には、従来法どおりアクリル系即時重合型合成樹脂材にて封鎖をおこなう。円筒状の空洞上部を密閉するアクリル樹脂は粉液二材にて供給されており混合すると固形化するものである。
【００１４】
必要があってこのネジの締結を解除したい時には、まず金属微細繊維束の上部の固形化したアクリル系即時重合型合成樹脂材を電気エンジンに装着した回転式ドリルで切削して、破片状態にして本発明品を露出させる。露出した合成樹脂板と下部にある金属微細繊維束が一塊となっているものをつまんで取り出す。
【００１５】
任意の一定期間、円筒状空洞の封鎖状態処置を可能にして、塵埃が進入することを防止し、かつ取出しが容易な新しい素材を応用して円筒状の空洞部分に適合するような形体に仕立て上げる。
【００１６】
金属微細繊維束なしに合成樹脂製板のみで本発明品である歯科治療用閉塞材を製作すると円筒状の空洞部分の内部直径にあわせて多種類準備しなければならない。材料が金属微細繊維束であれば円筒状空洞部の内部直径が変っても金属微細繊維束が中空部分の内径に順応して空洞をつくることなく内部が満たされ、多種類のサイズを準備しなくても対応できる。
【００１７】
【発明の実施の形態】
本発明における歯科的処置方法はスクリュー式インプラントの図１、図２に示した人工歯根（インプラントフィクスチャー）１を顎骨２内に埋入させることである。人工歯根の上部に設置する上部構造体３には内部に円筒形空洞部４を有する。この中でオスネジ５と人工歯根内壁に設置されたメスネジ６の絡み合いにて人工歯根１と上部構造体３が連結固定される。また、上部構造体には天然歯と相似させ咬合機能を営ませる陶材前装冠７を含む。
本発明品は金属微細繊維束８および合成樹脂板９として図２において示した。なお、臨床において使用される時には、合成樹脂板９の上にさらに、即時重合型合成樹脂材１０により円筒状空洞部４を密閉して封鎖する。上部構造体３を人工歯根から解き放つ必要があるときにはこの即時重合型合成樹脂材１０を切削器具にて粉砕し本発明品を取り出す。ドライバーを用いて円筒状空洞部４のオスネジ５を回転させると人工歯根から上部構造体３は開放される。連結具の上部はオスネジ５に下部はメスネジ６の構造になっている。このオスネジ５が人工歯根１の内壁に設定されているメスネジ６に鉗合する構造になっており、ドライバーを円筒状空洞部４を通して用い回転させると両者の締結が解消される。
【００１８】
本発明品はインプラントの人工歯根と上部構造体との連結部の円筒状空洞部に填入して異物あるいは食片の混入を防ぐ約２０ミクロン〜４０ミクロンからなる金属微細繊維線を用いて編み上げ、高さ、直径を最低限必要な種類のみ準備して円筒状に加工し供給するものである。重量は一個、平均して約０．００５グラムである。インプラント上部構造体内部の円筒状空洞部に充填し、その内部を封鎖し、必要時には除去する。以後、必要を生じた時には再度充填する。生体親和性を良くするため金属材料の中でもチタン材を用いる。
【００１９】
また、市場に供給されているインプラントはチタン製であることが多いため、発明品もチタン製にすれば異種金属を接触させた時におきるガリバルニー電流の発生を防止することが出来る。除去するときにはピンセットで把持して取り除くが、数十秒で除去できる。開発品を用いると円筒状空洞部上部に充填し固形化したアクリル系合成樹脂材（即時重合型合成樹脂材）は電動モーターに装着した切削具にて容易に除去できる。円筒状空洞部上部は視野の中に入るから目視できる。その円筒状空洞部下部に充填された本発明品はピンセットで即時重合型合成樹脂材の円盤部を把持して一挙に除去する。両処置合わせて１分以内で除去できる。
【００２０】
出願者は歯科医師で歯科診療所において診療に携わっている。この診療所において発明品を使用してきたが、記載した如くの効果が得られた。また、治療処置上および本発明品管理上何ら問題は生じていない。超高齢社会の到来とともに先端医療における歯科インプラント技法は全身の再建医療に広がり種々の器官に応用されている。すなわち人工器官の生体への連結装置として応用されている。
【００２１】
また、発明品は金属微細繊維からなるため、汚染物質が付着しても水道水で洗浄することで清浄化できる。従来法で費やした余分な操作と時間的無駄が無くなる。従来法では人工歯根の円筒状空洞部底部に充填した充填材は破砕した小片を取り除くのに１５分を要した。本発明品を応用したときには、この操作時間を１分以下に低減できた。且つ複雑な操作を簡単な操作に代えることが出来た。
【００２２】
【図面の簡単な説明】
【図１】歯科治療用閉塞材応用した時の組立正面図である。
【図２】歯科治療用閉塞材応用実施例を示す分解図である。
【符号の説明】
１  人工歯根（インプラントフィクスチャー）
２  顎骨
３  上部構造体
４  円筒状空洞部
５  オスネジ
６  メスネジ
７  陶材前装冠
８  金属微細繊維
９  合成樹脂板
１０  即時重合型合成樹脂材